(57)【特許請求の範囲】
【請求項１】
排気用遠心ファンをモータケーシング内に内蔵したモータを筒状の工具ハウジング内に収容した電動工具であって、モータケーシングに形成した排気孔と工具ハウジングに形成した排気孔との間に、工具ハウジング内面からモータに向けて突設して前記排気用遠心ファンの旋回方向に沿って傾斜したリブにより構成される排気流路を設け、工具ハウジングの筒軸を水平方向に向けた状態で、グリップを工具ハウジングから下方に向けて突出させ、上記排気流路をモータの正逆転に対応して夫々傾斜方向が逆向きの正転用及び逆転用の排気流路で構成し、正転用及び逆転用の排気流路の排気方向が正転時においても逆転時においても常に上方となるようにしたことを特徴とする電動工具。
【請求項２】
旋回方向における先方は傾斜したリブで、旋回方向における後方は工具ハウジングの排気孔の内壁を旋回方向に傾斜させた傾斜面で排気流路を形成したことを特徴とする請求項１記載の電動工具。
【請求項３】
旋回方向における後方において、工具ハウジングの内面からモータに向けて突出するように形成して、モータケーシングと工具ハウジングとの間の空間からの空気の流れを阻止する閉鎖リブを設けたことを特徴とする請求項１記載の電動工具。
【請求項４】
旋回方向における先方に位置する傾斜したリブの先端と工具ハウジングの排気孔の旋回方向における後方に位置する縁部とは重なり合わない位置関係となる寸法設定としたことを特徴とする請求項１記載の電動工具。
【請求項５】
工具動作中は工具ハウジングの排気孔を開き、工具停止中は排気孔を閉じるようにしたことを特徴とする請求項１記載の電動工具。
【請求項６】
工具動作中は排気圧により排気孔が開き、工具停止中は強制力により排気孔が閉じるようにしたことを特徴とする請求項５記載の電動工具。
【請求項７】
工具のトリガースイッチの動作と連動して排気孔の開閉を行うようにしたことを特徴とする請求項５記載の電動工具。
【発明の詳細な説明】
【０００１】
【発明の属する技術分野】
本発明は電動工具、殊に電動ドリルや電動ドライバーのような手持ち型の電動工具に関するものである。
【０００２】
【従来の技術】
一般にこの種の電動工具では電動工具内に通気して冷却する場合、図８に示すようにファンをモータケーシング内１に内蔵したモータを筒状の工具ハウジング２内に内装し、モータケーシング１及び工具ハウジング２に排気孔３，４を設けて構成され、モータを駆動したときファンも駆動されてモータケーシング２内の空気は排気孔３、モータケーシング１と工具ハウジング２との間、排気孔４を介して工具ハウジング２外に排気されるようになっている。
【０００３】
そして従来の電動工具における排気孔３，４の形状としては、図８に示すように水平方向に風穴を設けるものが一般的である。また排気孔４には外部からの粉塵等の異物の侵入を防ぐため、布繊状のシート５が設けられているものや、排気孔４がスリット形状をしているものが多く見られる。
【０００４】
【発明が解決しようとする課題】
しかしながら、モータには一般的に排気用遠心ファンが設けられているものが多く、モータからの風は、回転軸を中心として回転方向に角度を持った旋回方向に流れて行く。よって、モータからの排気風の流れの向きと排気孔３，４の向きが一致せず、モータからの排気風を全て外部に排出することができず、排気効率が悪くなるという問題点があった。
【０００５】
また、外部からの粉塵の侵入を防ぐため、スリット形状を設けたものにおいては防塵性が低いという問題があり、防塵用のシートを設けた場合においてはこれにより排気風が遮断され、排気効率が悪くなるという問題があった。
【０００６】
本発明は上記の点に鑑みてなされたものであり、モータからの排気風が全てスムーズに外部に排出されて排気効率がよく、しかも排気効率を低下させることなく防塵できる電動工具を提供することを課題とする。
【０００７】
【課題を解決するための手段】
上記課題を解決するために本発明の請求項１の電動工具は、排気用遠心ファン６をモータケーシング１内に内蔵したモータ７を筒状の工具ハウジング２内に収容したものであって、モータケーシング１に形成した排気孔３と工具ハウジング２に形成した排気孔４との間に、工具ハウジング２内面からモータ７に向けて突設して前記排気用遠心ファン６の旋回方向に沿って傾斜したリブ８により構成される排気流路Ａを設け、工具ハウジング２の筒軸を水平方向に向けた状態で、グリップ１１を工具ハウジング２から下方に向けて突出させ、上記排気流路Ａをモータ７の正逆転に対応して夫々傾斜方向が逆向きの正転用及び逆転用の排気流路Ａで構成し、正転用及び逆転用の排気流路Ａの排気方向が正転時においても逆転時においても常に上方となるようにしたことを特徴とする。モータ７を駆動して排気用遠心ファン６が駆動されると、排気がモータケーシング１内から排気孔３、排気流路Ａ、排気孔４を介して工具ハウジング２の外に排気されるが、上記のように排気用遠心ファン６の旋回方向に沿って傾斜したリブ８により構成される排気流路Ａを設け、上記排気流路Ａをモータ７の正逆転に対応して夫々傾斜方向が逆向きの正転用及び逆転用の排気流路Ａで構成したことで、モータ７が正転するときも逆転するときも回転方向に応じた排気流路Ａを介してスムーズにモータ７の排気風を全て工具ハウジング２外部に排出することができるため、排気の効率が格段にアップし、電動工具の冷却性能を大幅にアップさせることが可能となる。また、工具ハウジング２の筒軸を水平方向に向けた状態で、グリップ１１を工具ハウジング２から下方に向けて突出させ、正転用及び逆転用の排気流路Ａの排気方向が正転時においても逆転時においても常に上方となるようにしたことで、熱を帯びた排気風が排出された際も、電動工具を保持する手に排気風が触れることがないため、作業者が安全に作業できる。
【０００８】
本発明の請求項２の電動工具は、請求項１において、旋回方向における先方は傾斜したリブ８で、旋回方向における後方は工具ハウジング２の排気孔４の内壁を旋回方向に傾斜させた傾斜面９で排気流路Ａを形成したことを特徴とする。このようにすることで簡単な構成でさらに排気効率を良好にできる。
【０００９】
本発明の請求項３の電動工具は、請求項１において、旋回方向における後方に、工具ハウジング２の内面からモータ７に向けて突出するように形成して、モータケーシング１と工具ハウジング２との間の空間からの空気の流れを阻止する閉鎖リブ１０を設けたことを特徴とする。閉鎖リブ１０を設けることによって、工具ハウジング２内の空気の流れによってモータ７内からの排気の流れが乱されないためにモータ７の冷却効率が一層良好になる。
【００１０】
本発明の請求項４の電動工具は、請求項１において、旋回方向における先方に位置する傾斜したリブ８の先端と工具ハウジング２の排気孔４の旋回方向における後方に位置する縁部１２とは重なり合わない位置関係となる寸法設定としたことを特徴とする。傾斜したリブ８を形成する金型の部分を左右方向に抜くことができ、容易な金型構造で工具ハウジング２を製造できるために、安価に排気効率のよい構造を実現できる。
【００１１】
本発明の請求項５の電動工具は、請求項１において、工具動作中は工具ハウジング２の排気孔４を開き、工具停止中は排気孔４を閉じるようにしたことを特徴とする。工具の冷却性能を損なうことなく、確実に防塵できる。
【００１２】
本発明の請求項６の電動工具は、請求項５において、工具動作中は排気圧により排気孔４が開き、工具停止中は強制力により排気孔４が閉じるようにしたことを特徴とする。工具の動作及び停止に応じて排気孔４を自動的に開閉できる。
【００１３】
本発明の請求項７の電動工具は、請求項５において、工具のトリガースイッチ１３の動作と連動して排気孔４の開閉を行うようにしたことを特徴とする。工具の動作及び停止に応じて排気孔４を自動的に開閉できる。
【００１４】
【発明の実施の形態】
図２，図３は本発明に係る電動工具を示しており、中程に下方に突出するグリップ１１が一体に連結された筒状の工具ハウジング２の後部内に駆動源となるモータ７が納められている。図２で斜線の部分はモータ７の部分を示す。筒状の工具ハウジング２の先端部には工具を装着できるようになっており、先端の手前には先端カバー１４が設けられている。図２で１５は電源となる電池パックであり、１３はモータ７の駆動をオンオフするトリガースイッチである。工具ハウジング２とグリップ１１とは一体に合成樹脂にて形成されるが、工具ハウジグング２とグリップ１１とは２分割の構造になっている。
【００１５】
モータ７はモータケーシング１内にロータ等のモータ本体１７を内装して形成されており、このモータ７が工具ハウジング２内に内装されている。モータケーシング１は後端面に吸気孔１８を有すると共に前端側の外周面に排気孔３を有しており、またモータケーシング１内には前端側に排気用遠心ファン６を有すると共に後端側に吸気用軸流ファンを備えている。この排気用遠心ファン６及び吸気用軸流ファンはモータ７のロータと一緒に回転する。工具ハウジング２にはモータケーシング１の吸気孔１８と対応する吸気孔２０及びモータケーシング１の排気孔３と対応する排気孔４を有している。
【００１６】
この電動工具において、トリガースイッチ１３を引き、モータ７を回転させたならば、工具ハウジング２の後端の吸気孔２０から入る空気は矢印Ｈのようにモータ７の後端面に開口する吸気孔１８を通じてモータケーシング１内に入り、吸気用軸流ファン１９によってモータ７の前端側へ送られ、排気用遠心ファン６によって排気孔３、４を経て矢印Ｊに示すように外部に排気され、モータ７内が冷却される。
【００１７】
本発明ではモータケーシング１の排気孔３と工具ハウジング２の排気孔４との間は図１、図２に示すように工具ハウジング２から一体に突出したリブＢにて囲んであり、リブＢで囲んだ部分が排気流路Ａとなっている。工具ハウジング２及びモータケーシング１に設ける排気孔３，４は左右両側に位置するように設けてあり、モータケーシング１の排気孔３は水平な中心線Ｃ上で左右両側に設けてあり、工具ハウジング２に設ける排気孔４は排気孔３より上方位置に位置させてある。排気流路Ａを囲むリブＢのうち上に位置するリブ８は先端に向かって下方に傾斜して（排気用遠心ファン６の旋回方向に沿って傾斜して）おり、リブＢの下部の部分は水平に突出する閉鎖リブ１０となっている。排気孔４の下部の内壁はリブ８と同じ方向に傾斜した傾斜面９となっている。
【００１８】
モータ７の正転時には図４の矢印ａのように排気用遠心ファン６が回転して排気孔３から矢印ｂに示すように排気が排出され、モータ７逆転時には図４矢印ａ′のように排気用遠心ファン６が回転して排気孔３から矢印ｂ′に示すように排気が排出される構造になっているが、正転時には主に図１の右の排気孔３から右の排気流路Ａを介して右の排気孔４から矢印ｃのように排気が排気され、逆転時には主に図１の左の排気孔３から左の排気流路Ａを介して左の排気孔４から矢印ｃ′のように排気される。
【００１９】
上記のようにモータ７内の空気が排気されるが、正転時も逆転時も上記のように排気用遠心ファン６の旋回方向に沿って傾斜したリブ８により構成される排気流路Ａを介して外部に排出することができるため、排気の効率が格段にアップし、電動工具の冷却性能を大幅にアップさせることが可能となる。このとき、旋回方向における先方は傾斜したリブ８で、旋回方向における後方は工具ハウジング２の排気孔４の内壁を旋回方向に傾斜させた傾斜面９で排気流路Ａを形成したことで、さらに排気効率を良好にできる。またこのとき、排気用遠心ファン６の旋回方向における後方に、工具ハウジング２の内面からモータ７に向けて突出するように形成して、モータケーシング１と工具ハウジング２との間の空間からの空気の流れを阻止する閉鎖リブ１０を設けたことにより、工具ハウジング２内の空気の流れによってモータ７内からの排気の流れが乱されないためにモータ７の冷却効率が一層良好になる。またグリップ１１を下方に設けて排気孔４から上方に排気が排気されるため、熱を帯びた排気風が排出された際も、電動工具を保持する手に排気風が触れることがないため、作業者が安全に作業できる。またモータ７の正逆転に対応して夫々傾斜方向が逆向きの正転用及び逆転用の排気流路Ａを設けたことにより、モータ７が正転するときも逆転するときも回転方向に応じた排気流路Ａを設けたことにより、モータ７の正転時も逆転時も熱を帯びた排気風が排出された際、電動工具を保持する手に排気風が触れることがないために、作業者がより安全に作業することができる。
【００２０】
また水平な中心線Ｃから排気孔４の孔縁の下端の縁部１２まで高さＤと水平な中心線Ｃからリブ８の下端までの高さＥとはＥ＞Ｄの寸法関係となっている。つまり、旋回方向における先方に位置する傾斜したリブ８の先端と工具ハウジング２の排気孔４の旋回方向における後方に位置する縁部１２とは重なり合わない位置関係となる寸法設定とした。工具ハウジング２を合成樹脂にて形成するとき垂直な中心線Ｆで２分割した状態で成形され、左右に位置する金型で工具ハウジング２の外面と内面とが形成されるが、上記のような寸法関係になっていると傾斜したリブ８を形成する金型の部分を図の矢印するＧのように左右方向に抜くことができる。このため、容易な金型構造で工具ハウジング２を製造でき、安価に排気効率のよい構造を実現できる。このときＤとＥの寸法差をできるだけ小さく（Ｄ≒Ｅ）としておけば、電動工具を側面から見た際、工具ハウジング２内部が見えることがない。
【００２１】
次に図５に示す例について述べる。本例の場合、排気孔４に開閉自在な蓋２１を装着してある。この蓋２１は工具動作中は排気孔４が開き、工具停止中は排気孔４を閉じるようにしてある。このとき工具動作中は内部より排気風が流出しているため、粉塵が内部に流入することがなく、排気風が妨げられることもない。工具停止中においては、排気孔４が閉じるため、粉塵が内部に侵入するのを確実に防止できる。この図５の例の場合、蓋２１は弾力を持った弾性材料にて形成されており、この弾力は排気時の排気圧より小さく、工具停止時には排気孔４を閉じて工具ハウジング２に弾接するのに十分が力に設定してある。このようにしてあると、工具が動作して排気の際には図５（ｂ）に示すように排気圧により排気孔４が開き、工具停止時には図５（ａ）に示すように蓋２１自身の弾力により排気孔４が閉じる。
【００２２】
次に図６、図７に示す例について述べる。本例の場合、排気孔４に開閉自在な蓋２１を装着してあり、この蓋は２１は工具動作中は排気孔４が開き、工具停止中は排気孔４を閉じるようにしてある。そして本例の場合、蓋２１とトリガースイッチ１３とを連結部材２２にて連結してあり、工具停止状態では排気孔４が閉じられるような位置関係に設定してある。しかしてトリガースイッチ１３を引っ込んだ際は、つまり工具動作中は、図７に示すように蓋２１も連動してスライドして排気孔４が開くため、モータ７からの排気風は外部に排出される。トリガースイッチ１３を戻した際、つまり、工具停止中は、図６に示すように排気孔４が閉じているため外部からの粉塵の侵入を完全に遮断することができる。
【００２３】
【発明の効果】
上記のように本発明の請求項１の発明は、排気用遠心ファンをモータケーシング内に内蔵したモータを筒状の工具ハウジング内に収容したものであって、モータケーシングに形成した排気孔と工具ハウジングに形成した排気孔との間に、工具ハウジング内面からモータに向けて突設して前記排気用遠心ファンの旋回方向に沿って傾斜したリブにより構成される排気流路を設け、上記排気流路をモータの正逆転に対応して夫々傾斜方向が逆向きの正転用及び逆転用の排気流路で構成したので、モータが正転するときも逆転するときも回転方向に応じた排気流路を介してスムーズにモータの排気風を全て工具ハウジング外部に排出することができ、排気の効率が格段にアップし、電動工具の冷却性能を大幅にアップさせることが可能となるものである。また、工具ハウジングの筒軸を水平方向に向けた状態で、グリップを工具ハウジングから下方に向けて突出させると共に、正転用及び逆転用の排気流路Ａの排気方向が正転時においても逆転時においても常に上方となるようにしたので、熱を帯びた排気風が排出された際も、電動工具を保持する手に排気風が触れることがないため、作業者が安全に作業できるものである。
【００２４】
本発明の請求項２の発明は、請求項１において、旋回方向における先方は傾斜したリブで、旋回方向における後方は工具ハウジングの排気孔の内壁を旋回方向に傾斜させた傾斜面で排気流路を形成したので、簡単な構成でさらに排気効率を良好にできるものである。
【００２５】
本発明の請求項３の発明は、請求項１において、旋回方向におけるの後方に、工具ハウジングの内面からモータに向けて突出するように形成して、モータケーシングと工具ハウジングとの間の空間からの空気の流れを阻止する閉鎖リブを設けたので、閉鎖リブを設けることによって、工具ハウジング内の空気の流れによってモータ内からの排気の流れが乱されないためにモータの冷却効率が一層良好になるものである。
【００２６】
本発明の請求項４の発明は、請求項１において、旋回方向における先方に位置する傾斜したリブの先端と工具ハウジングの排気孔の旋回方向における後方に位置する縁部とは重なり合わない位置関係となる寸法設定としたので、傾斜したリブを形成する金型の部分を左右方向に抜くことができ、容易な金型構造で工具ハウジングを製造できるために、安価に排気効率のよい構造を実現できるものである。
【００２７】
本発明の請求項５の発明は、請求項１において、工具動作中は工具ハウジングの排気孔を開き、工具停止中は排気孔を閉じるようにしたので、工具の冷却性能を損なうことなく、確実に防塵できるものである。
【００２８】
本発明の請求項６の発明は、請求項５において、工具動作中は排気圧により排気孔が開き、工具停止中は強制力により排気孔が閉じるようにしたので、工具の動作及び停止に応じて排気孔を自動的に開閉できるものである。
【００２９】
本発明の請求項７の発明は、請求項５において、工具のトリガースイッチの動作と連動して排気孔の開閉を行うようにしたので、工具の動作及び停止に応じて排気孔を自動的に開閉できるものである。
【図面の簡単な説明】
【図１】  本発明の実施の形態の一例を示し、図２のＸ−Ｘ線で切断した断面図である。
【図２】  同上の全体を示す正面図である。
【図３】  同上の空気の全体的な流れを説明する斜視図である。
【図４】  同上の排気用遠心ファンの動作を説明する説明図であって、（ａ）は正転時の状態であり、（ｂ）は逆転時の状態である。
【図５】  同上の他例の断面図であって、（ａ）は蓋が閉じている状態であり、（ｂ）は蓋が開いて排気している状態である。
【図６】  同上の他例の蓋が閉じている状態の正面図である。
【図７】  図６の蓋が開いた状態の正面図である。
【図８】  従来例の断面図である。
【符号の説明】
Ａ 排気流路
１ モータケーシング
２ 工具ハウジング
３ 排気孔
４ 排気孔
６ 排気用遠心ファン
７ モータ
８ 傾斜したリブ
９ 傾斜面
１０ 閉鎖リブ
１１ グリップ
１２ 縁部
【図１】
0003674308.tif 000002
【図２】
0003674308.tif 000003
【図３】
0003674308.tif 000004
【図４】
0003674308.tif 000005
【図５】
0003674308.tif 000006
【図６】
0003674308.tif 000007
【図７】
0003674308.tif 000008
【図８】
0003674308.tif 000009